(57)【特許請求の範囲】
【請求項１】
複数の情報発信箇所のそれぞれに設置された情報発信装置から、電波法における免許が不要な電波を用いた近距離無線通信によって該情報発信箇所の周辺の情報提供地域に提供対象情報を含む送信信号を送信し、該情報発信装置から送信された送信信号を該情報提供地域に移動して入ってきた携帯電話機に受信させることにより該携帯電話機の利用者に情報を提供する情報提供を管理する情報提供管理装置であって、
該情報発信装置を用いた情報提供を依頼する情報提供依頼者の情報端末装置及び該情報発信装置の所有者の情報端末装置との間で、通信回線を介してデータの送受信を行うための通信インターフェース部と、
該情報発信装置を用いた情報提供を依頼する情報提供依頼者の情報発信箇所に関する希望内容のデータと、各情報発信箇所における情報発信装置の所有者の情報提供依頼に関する希望内容のデータと、該情報発信装置に関するデータと、該情報提供依頼者の提供対象情報のデータとを記憶するデータベース部と、
記憶媒体から読み込んだプログラムを実行してデータ処理するＣＰＵを用いて構成したデータ処理部と、を備え、
該データ処理部は、
情報発信を希望する特定の地域に関する情報提供依頼者の希望内容のデータを、該通信インターフェース部により該情報提供依頼者の情報端末装置から該通信回線を介して受信して該データベース部に保存し、
情報提供依頼の受け付けを拒否する特定の情報提供依頼者に関する情報発信装置の所有者の希望内容のデータを、該通信インターフェース部により該情報発信装置の所有者の情報端末装置から該通信回線を介して受信して該データベース部に保存し、
該データベース部にそれぞれ保存されている該情報提供依頼者の希望内容のデータと該情報発信装置の所有者の希望内容のデータとを参照することにより、該特定の地域について情報発信を希望する情報提供依頼者と、該特定の地域に情報を発信可能な複数の情報発信箇所のうち該情報提供依頼者からの情報提供依頼の受け付けを拒否しない該所有者の情報発信装置が設置されている情報発信箇所との組み合わせを決定し、その決定した組み合わせの情報提供依頼者の提供対象情報のデータと、該情報提供依頼者に組み合わせた情報発信箇所に設置された情報発信装置に関するデータとを関連付けて該データベース部に保存し、
その決定した組み合わせの情報提供依頼者の提供対象情報のデータを、該通信インターフェース部から通信回線を介して、その情報提供依頼者に対応する情報発信箇所に設置された情報発信装置に送信するようにデータ処理することを特徴とする情報提供管理装置。
【請求項２】
請求項１の情報提供管理装置において、
上記提供対象情報が、広告情報であることを特徴とする情報提供管理装置。
【請求項３】
請求項１又は２の情報提供管理装置と、複数の情報発信箇所のそれぞれに設置された情報発信装置と、を備えた情報提供管理システム。
【請求項４】
請求項１又は２の情報提供管理装置と、複数の情報発信箇所のそれぞれに設置された情報発信装置と、該情報発信装置から発信される情報を受信可能な移動情報端末と、を備えた情報提供システム。
【発明の詳細な説明】
【０００１】
【発明の属する技術分野】
本発明は、店舗、事業所、公共施設等の分散して位置する情報発信箇所の周辺に限定された情報提供地域において、携帯電話機等の移動情報端末の使用者に広告情報等の情報を提供する情報提供を管理する情報提供管理装置、情報提供管理システム及び情報提供システムに関するものである。
【０００２】
【従来の技術】
従来、携帯電話機等の移動情報端末の使用者に対して情報を提供する情報提供システムとしては、例えば、携帯電話通信網の基地局を経由して携帯電話機と情報提供センターのサーバーやＷＷＷ（World Wide Web）サーバー等との間で双方向的に信号のやり取りをすることにより、携帯電話機に情報を送るものが知られている。また、最近では、携帯電話機が位置する場所の位置情報を情報提供センターのサーバーに送ることにより、その位置情報に基づいて、携帯電話機が位置する地域に特有の情報を提供するサービスも始まってきている。
【０００３】
【発明が解決しようとする課題】
しかしながら、上記従来の情報提供システムでは、携帯電話通信網の基地局を経由して携帯電話機と情報提供センターのサーバー等との間で信号のやり取りを複数回行なうため、携帯電話機や中継の基地局などでアップリンクとダウンリンクのバランスを考慮する必要があり、信号処理手順も複雑になってしまうという問題点があった。
また、携帯電話機等の移動情報端末を用いた情報提供に関しては、コンビニエンスストア、駅のキヨスク、レストラン、本屋、ＣＤショップ、その他の商店等の店舗や、駅、バス停、待ち合わせ場所等の公共施設などに関する個別情報を、各店舗や公共施設等の近くにいる人たちのみに限定的に提供したいという要請もあった。しかしながら、上記従来の情報提供システムでは、各店舗や、事業所、公共施設等がそれぞれ位置する特定の情報提供地域ごとに、その情報提供地域に限定した個別情報を提供することが難しかった。
さらに、従来のマスメディアを用いた広告は、広告の発信元がテレビ局やラジオ局のように一括して広域に発信するものであったので、特定の情報提供地域ごとに、その情報提供地域に限定した広告を行なうことが難しかった。
【０００４】
そこで、本出願人は、「店舗、企業の事業所、公共施設等の情報発信箇所に情報発信装置を設置し、該情報発信箇所に関連した情報、該情報発信箇所で取り扱う商品に関連した情報、広告に関連した情報、及び地域関連情報の少なくとも一つからなる提供対象情報を、該情報発信装置に記憶させておき、該情報発信装置から該情報発信箇所の周辺に限定された情報提供地域に向けて、該提供対象情報を片方向的に繰り返し送信し、該情報提供地域に入った移動情報端末に該提供対象情報を受信させる限定的情報提供方法」を提案した（特願２０００−３８４４３７号参照）。
このような情報提供方法においては、情報発信装置を用いた情報提供を依頼する情報提供依頼者が、特定の情報発信箇所についてのみ情報提供を希望する場合がある。一方、各情報発信箇所に設置された各情報発信装置の所有者については、自分自身に関する情報のみを発信する場合もあるし、他者からの情報提供依頼を受け付けて情報の発信を行なう場合もある。情報発信装置の所有者によっては、特定の情報提供依頼者から依頼された情報の発信を希望する場合もある。従って、各情報発信箇所に設置された多数の情報発信装置を利用して多様な情報を、情報提供依頼者及び各情報発信装置の所有者の双方が満足するように秩序良く提供するためには、情報提供依頼者及び各情報発信装置の所有者の両者の希望を調整して情報提供を管理することが重要となる。
【０００５】
本発明は、以上の背景に鑑みなされたものであり、その目的とするところは、情報提供を依頼する情報提供依頼者及び各情報発信装置の所有者の希望内容を調整し、情報提供依頼者及び各情報発信装置の所有者の双方が満足する情報提供を実現することができる情報提供管理装置、情報提供管理システム及び情報提供システムを提供することである。
【０００８】
【課題を解決するための手段】
上記目的を達成するために、請求項１の発明は、複数の情報発信箇所のそれぞれに設置された情報発信装置から、電波法における免許が不要な電波を用いた近距離無線通信によって該情報発信箇所の周辺の情報提供地域に提供対象情報を含む送信信号を送信し、該情報発信装置から送信された送信信号を該情報提供地域に移動して入ってきた携帯電話機に受信させることにより該携帯電話機の利用者に情報を提供する情報提供を管理する情報提供管理装置であって、該情報発信装置を用いた情報提供を依頼する情報提供依頼者の情報端末装置及び該情報発信装置の所有者の情報端末装置との間で、通信回線を介してデータの送受信を行うための通信インターフェース部と、該情報発信装置を用いた情報提供を依頼する情報提供依頼者の情報発信箇所に関する希望内容のデータと、各情報発信箇所における情報発信装置の所有者の情報提供依頼に関する希望内容のデータと、該情報発信装置に関するデータと、該情報提供依頼者の提供対象情報のデータとを記憶するデータベース部と、情報発信を希望する特定の地域に関する情報提供依頼者の希望内容のデータを、該通信インターフェース部により該情報提供依頼者の情報端末装置から該通信回線を介して受信して該データベース部に保存し、情報提供依頼の受け付けを拒否する特定の情報提供依頼者に関する情報発信装置の所有者の希望内容のデータを、該通信インターフェース部により該情報発信装置の所有者の情報端末装置から該通信回線を介して受信して該データベース部に保存し、該データベース部にそれぞれ保存されている該情報提供依頼者の希望内容のデータと該情報発信装置の所有者の希望内容のデータとを参照することにより、該特定の地域について情報発信を希望する情報提供依頼者と、該特定の地域に情報を発信可能な複数の情報発信箇所のうち該情報提供依頼者からの情報提供依頼の受け付けを拒否しない該所有者の情報発信装置が設置されている情報発信箇所との組み合わせを決定し、その決定した組み合わせの情報提供依頼者の提供対象情報のデータと、該情報提供依頼者に組み合わせた情報発信箇所に設置された情報発信装置に関するデータとを関連付けて該データベース部に保存し、その決定した組み合わせの情報提供依頼者の提供対象情報のデータを、該通信インターフェース部から通信回線を介して、その情報提供依頼者に対応する情報発信箇所に設置された情報発信装置に送信するようにデータ処理することを特徴とするものである。
この情報提供管理装置では、情報提供依頼者及び情報発信装置の所有者から取得しデータベース部に保存した各希望内容のデータを参照することにより、特定の地域について情報発信を希望する情報提供依頼者と、該特定の地域に情報を発信可能な複数の情報発信箇所のうち該情報提供依頼者からの情報提供依頼の受け付けを拒否しない該所有者の情報発信装置が設置されている情報発信箇所との組み合わせを決定し、その決定した組み合わせの情報提供依頼者の提供対象情報のデータと、該情報提供依頼者に組み合わせた情報発信箇所に設置された情報発信装置に関するデータとを関連付けて該データベース部に保存する。そして、その決定した組み合わせの情報提供依頼者の提供対象情報のデータを、該通信インターフェース部から通信回線を介して、その情報提供依頼者に対応する情報発信箇所に設置された情報発信装置に送信することにより、その情報発信箇所の周辺の情報提供地域に移動して入ってきた携帯電話機の利用者に対し、情報提供依頼者及び各情報発信装置の所有者の双方が満足する情報提供を実現することができる。
更に、情報提供管理装置では、情報提供依頼者の情報発信箇所に関する希望内容のデータ及び情報発信装置の所有者の情報提供依頼に関する希望内容のデータをそれぞれ通信回線を介して受信することにより、各希望内容のデータの取得の効率化を図り、上記データ処理部でのデータ処理を速やかに開始できる。
また、情報提供依頼者の提供対象情報のデータを、通信回線を介して、その情報提供依頼者に対応する情報発信箇所に設置された情報発信装置に送信することにより、情報発信装置に対する提供対象情報の配信の効率化を図り、情報発信装置からの情報発信を速やかに開始できる。
なお、上記「情報発信箇所」としては、店舗、企業の事業所、公共施設等が挙げられる。
また、上記「情報提供依頼者」には、一般企業や個人等の情報提供元のほか、これらの情報提供元から情報提供を代理する広告代理店なども含まれる。
【００１１】
なお、上記「通信回線」としては、一般公衆電話回線や専用回線を介してポイント・ツー・ポイントで接続される通信回線のほか、インターネット等のコンピュータネットワークが介在した通信回線などを使用することができる。
また、上記「通信インターフェース部」としては、通信回線に応じて、モデム、ターミナルアダプタ（ＴＡ）、ルータなどを使用することができる。
【００１２】
請求項２の発明は、請求項１の情報提供管理装置において、上記提供対象情報が、広告情報であることを特徴とするものである。
この情報提供管理装置では、情報提供依頼者としての広告依頼者及び情報発信装置の所有者から取得しデータベース部に記憶した各希望内容のデータに基づいて、データ処理部で広告依頼者と情報発信箇所との組み合わせを決定することにより、広告依頼者及び各情報発信装置の所有者の希望内容を調整する。
請求項３の発明は、請求項１又は２の情報提供管理装置と、複数の情報発信箇所のそれぞれに設置された情報発信装置と、を備えた情報提供管理システムである。
請求項４の発明は、請求項１又は２の情報提供管理装置と、複数の情報発信箇所のそれぞれに設置された情報発信装置と、該情報発信装置から発信される情報を受信可能な移動情報端末と、を備えた情報提供システムである。
【００１３】
上記情報提供管理装置におけるデータ処理をコンピュータで実行するためのプログラムは、ＦＤ，ＣＤ−ＲＯＭ等の記録媒体に記録してもよい。
この記録媒体に記録されたプログラムをコンピュータに読み込んで実行することにより、上記情報提供管理装置における各データ処理を行うことができる。
なお、上記プログラムの受け渡しは、デジタル情報としてプログラムを記録したＦＤ，ＣＤ−ＲＯＭ等の記録媒体を用いて行なってもいいし、コンピュータネットワーク等の通信回線を用いて行なってもよい。
【００１４】
【発明の実施の形態】
以下、本発明を、分散配置された複数の情報発信装置からその周辺の移動情報端末としての携帯電話機の使用者に情報を提供する情報提供を管理する情報提供管理システムに適用した実施形態について説明する。
【００１５】
図２は、本発明の一実施形態に係る情報提供管理システムで管理される地域分散型の情報提供システムの全体構成の説明図であり、図３は、同情報提供システムのブロック図である。
本情報提供システムは、分散して位置する店舗、事業所、公共施設などの情報発信箇所のそれぞれに設置された複数の情報発信装置１０で構成されている。各情報発信装置１０から電波を伝送媒体として無線送信された送信信号Ｗは、移動情報端末としての携帯電話機２０で受信される。
【００１６】
上記情報発信装置１０は、コンビニエンスストア、駅のキヨスク、レストラン、ファーストフード店、本屋、ＣＤショップ、その他の商店等の店舗や、駅、バス停、空港、待ち合わせ場所等の公共施設に設置される。企業の事業所等に設置してもよい。情報発信装置１０は、これらの情報発信箇所を中心とした半径が数ｍ〜１００ｍ程度の比較的狭い情報提供地域Ａに対して提供対象情報（以下「コンテンツ」という。）を含む送信信号Ｗを片方向的に常時繰り返し送信する。そして、この情報提供地域Ａに携帯電話機２０が移動して入ってきたときに、情報発信装置１０から送信された送信信号Ｗを携帯電話機２０で受信することにより、携帯電話機２０の使用者が様々な情報を取得できるようにしたものである。
また、上記情報発信装置１０は、単体の装置として設置してもいいが、ＰＯＳ（Point of Sales）システムの端末装置等の店舗設備や施設構造物に埋め込むように設置してもよい。
【００１７】
上記情報発信装置１０は、コンテンツを記憶するデータ記憶部１１と、データ記憶部に対するコンテンツの書込及び読出を行なうようにデータ処理するデータ処理部１２と、データ記憶部１１から読み出したコンテンツに基づいて変調された送信信号Ｗを情報提供地域Ａに向けて繰り返し無線送信する送信部１３とを備えている。この情報発信装置１０から無線送信する送信信号としては、近距離無線通信用として好適な、２．４ＧＨｚのＩＳＭ（Industrial Scientific Medical）帯域でスペクトラム拡散方式を用いて変調されたものが好ましい。このように２．４ＧＨｚのＩＳＭ帯域でスペクトラム拡散方式を採用することにより、他の産業機器や医療機器への悪影響が少なく、１Ｍｂｐｓ程度の伝送速度でノイズや干渉に強い情報伝送を行なうことができる。また、このスペクトラム拡散方式としては、送信信号の周波数を周期的に変化させることにより周波数を拡散するスペクトラム周波数ホッピング型のスペクトラム拡散方式を用いることができる。また、所定の擬似ランダムコードを用いて変調することにより周波数を拡散するスペクトラム拡散方式を用いてもよい。
また、情報提供地域Ａを、情報発信箇所からの伝送距離が１００ｍ以下の範囲に制限するには、上記送信部１３から送信される送信信号の送信電力を１００ｍＷ以下に設定する。伝送距離を１０ｍ以下にして更に狭い情報提供地域Ａにしたいときは、上記送信部１３から送信される送信信号Ｗの送信電力を２０〜３０ｍＷ程度に設定する。
また、送信信号の無線伝送媒体としては、上記２．４ＧＨｚのＩＳＭ帯域で送信電力が１００ｍＷ以下というように、電波法における免許が不要な電波を使用するのが好ましい。このような電波を使用することにより、情報発信装置の設置の自由度が増すとともに、情報発信装置の小型化及び低コスト化が可能になる。
【００１８】
上記データ記憶部１１には、電子データを記憶しておくことができれば、特に限定されることなく様々な記憶媒体を使用することができるが、消費電力を低く抑えるとともに小型化を図るという観点から不揮発性メモリ（例えばフラッシュメモリ）等の記憶素子が好ましい。
また、上記情報発信装置１０には、外部のコンピュータなどと接続するためのＵＳＢ（Univaersal Serial Bus）等の汎用インターフェース部を設けてもよい。このような汎用インターフェース部を設けた場合は、情報発信装置１０の所有者自身がコンピュータ等を用いて作成した広告情報等のデータを、情報発信装置１０のデータ記憶部１１に送って記憶させることにより、発信するコンテンツを簡単に変更することができる。
【００１９】
上記データ処理部１２は、ＣＰＵ、ＲＯＭ、ＲＡＭ、その他のチップセット等によって構成されたマイクロコンピュータを用いて構成することができる。
【００２０】
上記携帯電話機２０は、通常の携帯電話機として機能を実現するための電話用送受信部２１のほか、上記情報発信装置１０からの送信信号を受信して復調する受信部２２と、受信部２２で受信した信号に基づいてコンテンツを出力する出力部２３とを備えている。出力部２３としては、表示手段としての液晶パネル等のディスプレイ２３１や音を発するためのスピーカ２３２などを用いて構成することができる。
【００２１】
上記構成の情報提供システムで提供するコンテンツとしては、上記店舗等の広告情報や、列車、バス、飛行機等の輸送機関の時刻情報などの地域関連情報が挙げることができる。また、各種公共情報、案内情報、ニュースなどのコンテンツを提供するようにしてもよい。更に、上記コンテンツとして上記設置箇所に関係のない一般企業等の広告情報を携帯電話機のディスプレイ上に表示させたり、音声情報を流したりすることにより、広告情報を携帯電話機の使用者に提供すれば、本システムを電子広告看板のように使うこともできる。この場合は、情報発信装置を所有したり設置したりした者が、広告主から広告収入を得ることができる。
また、上記コンテンツの形態としては、文字情報、記号情報、数値情報、画像情報（静止画、動画）、音声等の音情報等があり、特定の形態に限定されるものではない。特に、前述のように２．４ＧＨｚのＩＳＭ帯域でスペクトラム拡散方式を用いて変調された送信信号のように大容量の情報伝達媒体を用いた場合は、マルチメディア・コンテンツや、ストリーミング系動画（ＭＰＥＧ４等）のコンテンツも提供できる。
【００２２】
上記構成の情報提供システムにおいては、分散して位置する店舗等の複数の情報発信箇所のそれぞれに設置された情報発信装置１０から、各情報発信位置の周辺に限定された情報提供地域Ａに向けて、コンテンツのデータで変調された送信信号Ｗを片方向的に常時繰り返し無線送信することにより、各情報提供地域Ａごとに、携帯電話機２０の使用者に対して情報提供することができる。
また、通常の双方向に信号のやり取りを行なう場合に必要となるアップリンクとダウンリンクとのバランスを考慮する必要もない。従って、従来の携帯電話機２０と情報提供サーバーとの間で双方向に信号のやり取りするシステムに比してより簡易な構成で、特定の情報提供地域Ａごとに限定した個別のコンテンツを、その情報提供地域Ａを移動している携帯電話機２０の使用者に向けて提供することが可能となる。
更に、上記情報発信装置１０のデータ記憶部１１に記憶しておくデータを入れ換えることにより携帯電話機２０の使用者に提供するコンテンツの内容を変更することができ、また、情報発信装置１０の設置位置を変えることにより上記情報提供地域Ａを変更することができる。従って、コンテンツの内容及び情報提供地域Ａを容易に変更することができる。
また、携帯電話機２０側の送信電力を考慮することなく、情報を発信する情報発信装置１０側で十分な送信電力がとれるため、携帯電話機との間で双方向通信を行なうシステムに比べ、上記情報提供地域Ａの範囲を広げることが可能となる。
【００２３】
図１は、上記情報提供システムにおける情報提供を管理する情報提供管理システムの概略構成を示す説明図である。
このコンテンツ管理システムは、コンテンツ管理センター３に設けられた情報提供管理装置としての情報管理サーバ３０を用いて構成されている。この情報管理サーバ３０は、ハードディスクなどで構成されたデータベース部３１、通信インターフェース部３２、ＣＰＵなどからなるデータ処理部３３等を備えている。また、情報管理サーバ３０のデータベース部３１には、一般企業、広告代理店、コンテンツ製作会社等の情報提供依頼者から受けたコンテンツ発信箇所に関する希望内容データ、店舗の店主、公共施設の管理者、事業所の代表者等の情報発信装置の所有者（以下「情報発信装置オーナ」という。）から受けたコンテンツ提供依頼受付に関する希望内容のデータ、情報発信装置オーナ及び情報提供者のデータ、提供対象のコンテンツなどが記憶されている。更に、情報管理サーバ３０には、後述のデータ処理を行なうためのコンテンツ管理プログラムがインストールされている。このプログラムの受け渡しは、デジタル情報としてプログラムを記録したＣＤ−ＲＯＭ等の記録媒体を用いて行なってもいいし、コンピュータネットワーク等の通信回線を介して行なってもよい。
【００２４】
上記構成の情報管理システムでは、上記情報発信装置１０を用いた情報提供を依頼する情報提供依頼者から、どの地域から情報を発信したいか等の情報発信箇所に関する希望内容のデータを取得するとともに、各情報発信装置オーナから、どのような情報提供依頼者からの情報提供依頼を受け付けないか等の情報提供依頼受付に関する希望内容のデータを取得しておく。これらの希望内容のデータは、情報管理サーバ３０のデータベース部３１に登録される。そして、情報管理サーバ３０では、上記情報提供依頼者及び情報発信装置オーナから取得してデータベース部３１に記憶されている各希望内容のデータに基づいて、情報提供依頼者と情報発信装置が設置されている情報発信箇所との組み合わせを決定するようにデータ処理を行ない、情報提供依頼者及び各情報発信装置オーナの希望内容を調整する。
以上、本実施形態によれば、コンテンツ管理センター３に設けられた情報管理サーバ３０により、情報提供依頼者及び各情報発信装置オーナの希望内容を調整することができるので、情報提供依頼者及び各情報発信装置オーナの双方が満足する情報提供を実現することができる。
【００２５】
なお、上記実施形態では、図１に示すように、情報提供依頼者及び情報発信装置オーナからの希望内容データの取得をオンラインで容易に行なうことができるように、情報管理サーバ３０と、情報発信装置オーナの情報端末装置８１及び情報提供依頼者の情報端末装置８２とを、インターネット４０を経由した通信回線を介して接続できるようにしてもよい。この場合、情報管理サーバ３０には少なくともＷＷＷサーバとしての機能を導入しておき、これらのデータを受け付けるＷＷＷページ等のファイルをデータベース部３１に登録しておく。また、上記情報端末装置としては、ＷＷＷページを閲覧するブラウザ機能を有するコンピュータを用いることができる。
【００２６】
この情報提供管理システムでは、情報発信装置オーナからの希望内容データのオンライン取得を次のように行なう。なお、情報提供依頼者からの希望内容データのオンライン取得についても同様にあるので、説明を省略する。
まず、情報発信装置オーナは、情報端末装置としてのコンピュータ８１のＷＷＷブラウザを用いて、希望内容を受け付るための専用サイトにアクセスし、コンテンツ提供管理サービスのＷＷＷページを表示する。このＷＷＷページ上には、希望内容を所定の項目ごとに分けた入力欄が設けられている。これらの入力欄に希望内容のデータを入力し、送信ボタンをクリックすると、希望内容のデータがコンテンツ管理センター３の情報管理サーバ３０に送られる。情報管理サーバ３０は、上記希望内容のデータを受けるとデータベース部３１に登録する。
【００２７】
なお、上記構成の情報提供管理システムにおいては、上記情報提供依頼者及び各情報発信装置オーナの希望内容を調整した後、情報提供依頼者のコンテンツのデータを、通信回線を介して、対応する情報発信箇所に設置された情報発信装置１０にオンライン配信するように構成してもよい。
【００２８】
図４は、インターネット４０を経由した通信回線を介して、上記情報管理サーバ３０から情報発信装置１０にコンテンツをオンライン配信するシステムのブロック図である。また、図５は、同システムにおけるコンテンツ管理運用の概念図である。このシステムでは、コンテンツ管理センター３内に設置された情報管理サーバ３０により、情報発信装置１０のデータ記憶部１１に記憶しているコンテンツを管理し、必要に応じて情報発信装置１０内のコンテンツを遠隔的に入れ換えることができる。
【００２９】
また、上記情報管理サーバ３０のデータベース部３１には、前述のように、一般企業、広告代理店、コンテンツ製作会社等の情報提供依頼者の希望内容データ、情報発信装置オーナの希望内容のデータ、情報発信装置オーナ及び情報提供者のデータ、広告代理店６５からの依頼を受けてコンテンツ製作会社６４が製作したコンテンツや広告、各種プログラム等が記憶されている。そして、情報発信装置１０で送信するように決定されたコンテンツのデータと、その情報発信装置１０に関するデータとが関連付けて登録されている。
【００３０】
また、情報発信装置１０側には、通信回線を介して上記情報管理サーバ３０と通信するための通信インターフェース部１４が設けられている。
上記通信回線としては、一般公衆電話回線及びインターネット４０を経由した通信回線を用い、上記通信インターフェース部１４、３２はモデムなどを用いて構成している。なお、上記通信回線としては、電話回線を介してポイント・ツー・ポイントで接続される通信回線等を使用してもよい。また、情報管理サーバ３０及び情報発信装置１０に接続される通信回線がデジタル回線の場合は、上記通信インターフェース部１４、３２としてターミナルアダプタ（ＴＡ）、ルータなどを使用する。
【００３１】
上記図４及び図５に示すシステムにおいて、情報管理サーバ３０は、夜間等の通信費用の安い時間帯に、配信先の情報発信装置１０に対応したコンテンツをデータベース部３１から選択し、インターネット４０を経由した通信回線を介して情報発信装置１０に向けて配信することができる。情報発信装置１０側では、情報管理サーバ３０から配信されてきた新しいコンテンツをデータ記憶部１１に記憶することにより、新しいコンテンツや広告を含む送信信号Ｗを情報提供地域Ａに向けて送信できる。
また、上記情報管理サーバー３０には、２４時間体制でコンテンツ等のデータがバックアップされている。そして、図５中の右端の情報発信装置１０のように、障害が発生してデータ記憶部１１に記憶していたコンテンツのデータが消失したり損傷を受けたりした場合には、情報管理サーバー３０にバックアップしておいたコンテンツを情報発信装置１０に対して再度配信することにより、情報発信装置１０から元の状態で情報提供を行なうことができるようになる。
【００３２】
【発明の効果】
請求項１乃至４の発明によれば、情報提供を依頼する情報提供依頼者及び各情報発信装置の所有者の希望内容を調整することができるので、情報提供依頼者及び各情報発信装置の所有者の双方が満足する情報提供を実現することができる。更に、情報提供依頼者及び情報発信装置の所有者の双方からの希望内容のデータの取得の効率化を図ることができるとともに、データ処理部でのデータ処理を速やかに開始できる。また、情報発信装置に対する提供対象情報の配信の効率化を図ることができるとともに、情報発信装置からの情報発信を速やかに開始できるという優れた効果がある。
特に、請求項２の発明によれば、広告依頼者及び各情報発信装置の所有者の双方が満足する情報提供を実現することができるという優れた効果がある。
【図面の簡単な説明】
【図１】本発明の一実施形態に係る情報提供管理システムのブロック図。
【図２】同情報提供管理システムで管理される情報提供システムの全体構成の説明図。
【図３】同情報提供システムで用いる情報発信装置及び携帯電話機の概略構成を示すブロック図。
【図４】情報管理サーバから情報発信装置へコンテンツをオンライン配信するシステムの説明図。
【図５】同システムにおけるコンテンツ管理運用の概念図。
【符号の説明】
１０    情報発信装置
１１    データ記憶部
１２    送信部
１３    データ処理部
１４    通信インターフェース部
２０    携帯電話機
２１    電話用送受信部
２２    受信部
２３    出力部
２４    受信報知部
３０    情報管理サーバ
３１    データベース部
３２    通信インターフェース部
３３    データ処理部
４０    インターネット
８１    情報発信装置オーナの情報端末装置
８２    情報提供依頼者の情報端末装置
【図１】
0003975055.tif 000002
【図２】
0003975055.tif 000003
【図３】
0003975055.tif 000004
【図４】
0003975055.tif 000005
【図５】
0003975055.tif 000006